(57)【特許請求の範囲】
【請求項１】
台紙にラベル片が仮着されたラベル連続体と、
前記ラベル片を台紙から剥離する剥離手段と、
前記ラベル片を剥離した後の前記台紙を駆動ローラと従動ローラとにより挟持して移送する移送手段と、
前記剥離手段の近傍に設けるとともに前記ラベル片を検知するラベル検知手段と、
回動可能な軸に係止され待機位置と印字位置とを回動して、前記ラベル片に手操作で印字する印字器と、
前記移送手段を制御する制御手段と、を有し、
前記印字器の回動に応じて前記制御手段に信号を供給するスイッチと、
前記印字器が前記ラベル片印字後に待機位置に戻る時、前記スイッチから前記制御部に信号が供給され、前記ラベル検知手段から前記制御部にラベル片の検知信号を供給されていない条件で前記移送手段が駆動して前記ラベル片を剥離するようにしたことを特徴とする印字器付き剥離装置。
【請求項２】
前記印字器と連動する操作レバ−を設けたことを特徴とする請求項１記載の印字器付き剥離装置。
【発明の詳細な説明】
【０００１】
【発明の属する技術分野】
本発明は印字器付き剥離装置に関し、特に印字器を手操作で操作するとともに、その操作に応じて台紙の移送を制御する印字器付き剥離装置に関する。
【０００２】
【従来の技術】
従来、印字器を設けた剥離装置として、実開昭５３−３７３９８号公報に開示された技術がある。
この技術は、印字器を設けた剥離機であって、ラベル付フィルムにバックテンションをかけることによって、ラベルの剥離を良好にし、かつ本体テ−ブル面上に絶縁板を設け、フィルムを密着させることによって、鮮明な印字ができる剥離機である。
【０００３】
さらに、印字器はソレノイドによって、揺動杆を適宜揺動させ、印字信号によりソレノイドが励磁されコアが動作する。このコアの動作に連動して印字器が移動してラベルに印字するものであり、ソレノイドの励磁が解除されると、コアがもとに戻るので連動して印字器がもとに戻る。
【０００４】
【発明が解決しようとする課題】
しかし乍、印字器は印字信号によりソレノイドを励磁させて、揺動杆を介して、印字器を上下に動作させるための機構と、さらにそれらを支持する機構が必要となるので、機構が複雑になり装置全体が大型化するとともに部品点数も多くなるという問題がある。
【０００５】
【課題を解決するための手段】
本発明は、台紙にラベル片が仮着されたラベル連続体と、前記ラベル片を台紙から剥離する剥離手段と、前記ラベル片を剥離した後の前記台紙を駆動ローラと従動ローラとにより挟持して移送する移送手段と、前記剥離手段の近傍に設けるとともに前記ラベル片を検知するラベル検知手段と、回動可能な軸に係止され待機位置と印字位置とを回動して、前記ラベル片に手操作で印字する印字器と、前記移送手段を制御する制御手段と、を有し、前記印字器の回動に応じて前記制御手段に信号を供給するスイッチと、前記印字器が前記ラベル片印字後に待機位置に戻る時、前記スイッチから前記制御部に信号が供給され、前記ラベル検知手段から前記制御部にラベル片の検知信号を供給されていない条件で前記移送手段が駆動して前記ラベル片を剥離するようにしたことを特徴とする印字器付き剥離装置にある。
また、前記印字器と連動する操作レバ−を設けることができる。
【０００６】
従って、本発明は印字器を手操作でラベル片に印字するようにしたので、機構が極めて簡単な構成となり、剥離装置全体が小型になるとともに、軽量化することができる。しかも、印字器と連動する操作レバ−を設けたので、指先の簡単な操作でラベル片に印字することができる。
さらに、印字器を手操作でラベル片に印字したあと、台紙を移送してラベル片を剥離するようにしたので、作業者は所望の枚数を確実に印字でき無駄がない。
【０００７】
【発明の実施の形態】
本発明の実施の形態を図１乃至図４に基づいて説明する。
剥離装置本体１は架台２に載置され、この架台２の一方の側面縁部から鉛直に取付部材３が配設されている。この配設された取付部材３の上部に貫通するように、軸４が軸支されている。
【０００８】
剥離装置本体１には、帯状の台紙２０にラベル片Ｌが所定間隔で仮着されたラベル連続体１９が台紙２０からラベル片Ｌを剥離する剥離板２２と、剥離後の台紙２０を駆動ロ−ラ２５と従動ロ−ラ２３とによって挟持してモ−タ２４の駆動により駆動ロ−ラ２５を駆動させて台紙２０を移送する移送手段と、剥離板２２の近傍すなわち剥離板２２の前方に剥離されたラベル片Ｌを検知するラベル検知センサ−２７と、リミット・スイッチ８と、制御部２６とが設けられている。
また、駆動ロ−ラ２５はギヤ−（図示せず）等によりモ−タ−２４と連動している。
【０００９】
次に、図３に示す如く、軸４に操作レバ−７、スタンプガイド１０が貫通され、軸４に係止されている。また、ガイド板１８は軸４に貫通されているが取付部材３に係止されている。
さらに、板バネ６の一方の端部は、軸４に係止され他端はストッパ１３に当設されている。また、操作レバ−７は軸４を回動可能にするレバ−であり、操作レバ−７の先端部に操作面９が設けられている。そして、剥離装置本体１の上部には、前述の接片１７を有するリミット・スイッチ８が設けられ、このリミット・スイッチ８は、操作レバ−７に対向配置されている。
【００１０】
ここで、操作レバ−７の操作面９を手で押圧することにより、リミット・スイッチ８が閉成し、手を操作面９から離すことにより、リミット・スイッチ８が開成する。この閉成および開成に伴って発生する信号が制御部２６に供給され、ラベル検出センサ２７がラベル片Ｌを検知していると、制御部２６からモ−タ−２４に駆動信号を送らないものであり、またラベル片Ｌを検知していないと、上記開成に伴って発生する信号が供給されると、制御部２６からモ−タ−２４に駆動信号が供給されるものである。
【００１１】
スタンプガイド１０には、インクを封入された印字器５（市販品）が組み込まれて一体に形成され、軸４に任意の位置で係止できる押えボルト１５と、ラベル連続体１９の浮き上がりを防止するための押えロ−ラ１６が設けられている。
また、スタンプガイド１０は、板バネ６に規制され、傾斜位置で待機状態となる。
さらに、スタンプ・ガイド１０は容易に交換可能でありラベル片に日付、商品名または製造会社等の印字ができるものであり、またストッパ１４は操作レバ−７を押圧して回動する印字器５がラベル片Ｌに略直角となる位置すなわち好適な印字位置で規制するための部材である。
【００１２】
次に、動作について説明する。
剥離装置本体１の後位にロ−ル状ラベル１２を装填し、引き出したラベル連続体１９は浮き上がりを防止をするための押えロ−ラ１６の下面を移送され、剥離部１１である剥離板２２によって、図４の矢印方向であるＦ方向にラベル片Ｌが剥離されて台紙２０のみが鋭角に方向転換する。
そして台紙２０は移送手段である駆動ロ−ラ２５と従動ロ−ラ２３によって挟持され、移送されるとともに排出される。
【００１３】
次に、操作レバ−７の先端に設けられた操作面９を手操作で上面から押圧することにより、図２に示す如く印字器５は軸４を中心に時計方向に円弧状に回動して、ラベル片Ｌの表面を押圧して印字がされるとともに、リミット・スイッチ８に設けられた接片１７が押圧され、リミット・スイッチ８が閉成動作し、この閉成動作に伴って、閉成信号が制御部２６に送られる。
また、印字器５の本体上面から手操作で押圧することができ、上述のようにラベル片Ｌに印字することができ、このとき操作レバ−７の連動によりリミット・スイッチ８は閉成し、この開成信号が制御部２６に送られる。
操作面９または印字器５から手を離すことにより、板バネ６の付勢により印字器５が待機位置に戻るとともに、リミット・スイッチ８が開成し、この開成信号が制御部２６に送られる。
【００１４】
このとき、剥離部１１にラベル片Ｌがない状態、すなわちラベル検知センサ２７がラベル片Ｌを検知していないと、ラベル検知センサ２７が制御部２６に検知信号を供給されない。従って、制御部２６からモ−タ２４に駆動信号が送られ、モ−タ２４が駆動するとともに駆動ロ−ラ２５が駆動して台紙２０を移送するものである。
台紙２０が移送されることによって、ラベル連続体１９の先頭に仮着されたラベル片Ｌが剥離板２２で剥離され、ラベル検知センサ２７が剥離されたラベル片Ｌを検知すると、ラベル検知センサ２７から制御部２６に検知信号が送られる。制御部２６は、この検知信号をうけてラベル片Ｌを好適な剥離位置まで、モ−タ−２４を駆動させた後、モ−タ−２４への駆動信号を停止するのでモ−タ２４が停止する。
【００１５】
また、剥離部１１に剥離されたラベル片Ｌがあるとラベル検知センサ２７は、ラベル検知センサ２７から制御部２６に検知信号を送るので、制御部２６からモ−タ２４へ駆動信号を送らない。そして、剥離部１１に有るラベル片Ｌ除去されると、ラベル検知センサ２７から制御部２６に検知信号が供給されないので、制御部２６からモ−タ２４に駆動信号が送られ台紙２０が移送され、次の先頭のラベル片Ｌが剥離する。
【００１６】
このように、手操作によって操作レバ−７または印字器５を押圧し、ラベル片Ｌに印字して、操作レバ−７または印字器５から手を離すことにより、剥離部１１にラベル片Ｌがない条件で台紙２０が移送されラベル片Ｌが剥離される。
そして、ラベル片Ｌが除去されても台紙２０は移送されない。従って、印字のための操作に応じて台紙２０が移送され、ラベル片Ｌが剥離される。
【００１７】
【発明の効果】
以上詳細に説明したように本発明は、印字器または印字器と連動する操作レバ−を設け、印字器または印字器と連動する操作レバ−の手操作に応じて移送手段を制御する制御部を設けたので、機構が極めて簡単となり剥離装置が小型になるとともに軽量化することができる。更に、手操作で簡単にすることができるので容易にラベル片に印字でき、しかも印字した後に連動して台紙の移送を制御するようにしたので、操作性が優れている。
【図面の簡単な説明】
【図１】本発明の印字器付き剥離装置の概略正面図である。
【図２】本発明の印字器付き剥離装置の概略側面図である。
【図３】本発明の印字機構の構成図である。
【図４】本発明の印字器付き剥離装置の概略構成図である。
【符号の説明】
３            取付部材
４            軸
５            印字器
６            板バネ
７            操作レバ−
８            リミット・スイッチ
１９          ラベル連続体
２０          台紙
２２          剥離板
２３          従動ロ−ラ
２４          モ−タ
２５          駆動ロ−ラ
２６          制御部
２７          ラベル検知センサ
Ｌ            ラベル片
【図１】
0003698471.tif 000002
【図２】
0003698471.tif 000003
【図３】
0003698471.tif 000004
【図４】
0003698471.tif 000005